(57)【要約】【課題】表示データに応じて適切な音源データを制御することができる表示装置、および音源データを出力する表示装置の音源データ自動再生方法を提供する。【解決手段】表示装置の制御部６０のキーワード照合部６２において、表示キーワードを取得し（Ｓ３１）、音源キーワードを取得し（Ｓ３２）、表示キーワードと音源キーワードを照合し（Ｓ３３）、キーワード照合結果に関連するものがあるか判定し（Ｓ３４）、判定した結果に関連があれば、その表示データに関連ある音源データを関連付けし（Ｓ３５）、その内容を表示音源制御部６１に書き込む（Ｓ３６）。表示音源制御部６１は、表示部５１には表示データを出力し、外部出力部５２には関連付け設定された音源データを出力し、表示データに応じた適切な音源データの再生を制御する。【選択図】図３
2009025356.tif 000002
【特許請求の範囲】
【請求項１】
表示部と、表示データや音源データを記憶するメモリ部と、音源データを出力するための音源出力部と、前記表示データを前記表示部に表示する際に関連する前記音源データを出力するための前記表示データの表示キーワードと前記音源データの音源キーワードの関連付けを行なうキーワード照合部を備えたことを特徴とする表示装置。
【請求項２】
前記メモリ部は、表示用データと表示データに関連付けされた表示キーワードと音源用データと音源データに関連付けされた音源キーワードを記憶することを特徴とする請求項１記載の表示装置。
【請求項３】
前記キーワード照合部は、前記表示キーワードと前記音源キーワードに関連があれば前記音源データ記憶部から関連がある音源データを選択し、関連がなければ前記音源データ記憶部から汎用性がある音源データを選択する音源データ選択部を備えたことを特徴とする請求項１及び請求項２記載の表示装置。
【請求項４】
前記表示部で前記表示データを表示開始すると前記音源データを前記音源出力部へ出力し、前記表示データが表示終了すると前記音源データの出力を停止することを特徴とする請求項１から請求項３記載の表示装置。
【請求項５】
前記表示部は、マトリックス状に配置された複数のＬＥＤ（発光ダイオード）を備えたことを特徴とする請求項１から請求項４記載の表示装置。
【請求項６】
表示部とメモリ部と外部出力部を備え、前記メモリ部に記憶された表示データのキーワードと音源データのキーワードにより、前記表示部へ出力する表示データと関連する音源データを制御する音源自動設定工程を含む表示装置の画面表示方法及び音源再生方法。
【発明の詳細な説明】
【技術分野】
【０００１】
本発明は、表示装置、画面表示方法および音源再生方法に関し、特に、ＬＥＤ（light-emitting diode：発光ダイオード）等の発光体をマトリックス状に配置し、文字や図形や静止画などを表示する表示装置において、音源データを出力する表示装置の音源データ自動再生に関するものである。
【背景技術】
【０００２】
視覚に訴えるための文字や図形や静止画などを表示する表示装置が主流であったが、更に聴覚に訴える音声付き表示装置が提案されている。
【０００３】
従来の表示装置は、予め表示データと音源データとインデックスファイルを作成し、インデックスファイルで指定された組合せで、表示データに合わせて音源データを出力している（例えば、特許文献１参照）。図４は、前記特許文献１に記載された従来の表示装置４０である。
【０００４】
図４において、パソコンで画像ファイルからなる表示データと音声ファイルからなる音源データとインデックスファイルを作成し、データ入力部４８からメモリ部４４の表示データ記憶部４５と、音源データ記憶部４６と、インデックスファイル記憶部４７にデータを取り込む。
【０００５】
インデックスファイルとは、表示データと音源データを関連付けるファイルである。制御部４３は、表示データは表示部４１に、音源データはインデックスファイルに従って外部出力部４２に出力する。
【０００６】
以上の構成により、表示データ表示時に、決められた音源データを、外部出力部４２に出力する。
【特許文献１】特開平１１−３１３２７３号公報
【発明の開示】
【発明が解決しようとする課題】
【０００７】
しかしながら、前記従来の構成では表示装置で表示データに合った音源データを設定する場合、表示データの内容を把握し、該表示データに合う音源データを準備し、表示データと音源データを関連付けるインデックスファイルを作成し、それらを全て準備した上で、表示装置に取り込むという手間が必要である。
【０００８】
また、表示データの追加や削除をしたいときは、関連付けの変更や新しい音源データの追加、インデックスファイルの再作成をしなければならないため、面倒が生じていた。
【０００９】
したがって、表示装置で表示する表示データに最適な音源データを設定するためには、関連付け設定を全ての表示データに対して行う必要があり、表示データの量が多い場合手間も時間もかかる。
【００１０】
さらに、表示データと音源データの関連付けは、全て設定者の主観に頼っていたため、個人の好みに影響されることや、設定に時間がかかるといった問題が生じるため、表示データに最適な音源データを設定できていなかった。
【００１１】
本発明は、前記従来の課題を解決するもので、表示データに応じて、適切な音源データを設定することができる表示装置を提供することを目的とする。
【課題を解決するための手段】
【００１２】
前記従来の課題を解決するために、本発明の表示装置は、表示部と、メモリ部と、音源を出力する外部出力部と、前記メモリ部に記憶された表示データと音源データのキーワードに基づいて、表示部に出力する表示データと音源出力するための音源データの関連付けを行うキーワード照合部を備えたことを特徴とする。
【００１３】
本構成によって、表示データの内容を示す表示キーワードと、音源データの内容を示す音源キーワードに基づいて、表示データ表示中に再生する音源データを制御するので、表示データの変更や削除に応じてその都度関連付けを設定し直さなくても、表示データ表示中に適切な音源データを再生することができる。
【００１４】
また、本発明の表示装置において、メモリ部は、表示データを記憶する表示データ記憶部と、各表示データの内容を示すキーワードを記憶する表示キーワード記憶部と、音源データを記憶する音源データ記憶部と、音源データの内容を示すキーワードを記憶する音源キーワード記憶部を備える。
【００１５】
本構成によって、表示データと音源データには、それぞれキーワード記憶部が設けられていて、表示データと音源データの関連付け設定は自動で行われるため、表示データまたは音源データの追加および削除を行っても柔軟に対応可能である。
【００１６】
また、本発明の表示装置において、キーワード照合部は、表示キーワード記憶部に記憶された表示データの表示キーワードと、音源キーワード記憶部に記憶された音源データのキーワードに基づいて、表示データに関連した音源データを設定する音源データ選択部を備える。
【００１７】
本構成によって、表示データと音源データのキーワード照合を行い、関連ある音源データがあれば前記音源データ記憶部から関連がある音源データを選択し、関連がある音楽データがなければ、前記音源データ記憶部から汎用性がある音源データを選択し、関連付け設定を行うため、関連する音源データが存在しない場合でも音源出力が可能となる。
【００１８】
また本発明の表示装置において、表示データと音源データを制御する表示音源制御部を備える。
【００１９】
本構成によって、表示データを表示開始すると音源データを音源出力部へ出力し、表示データが表示終了すると音源データの出力を停止することが出来る。
【００２０】
また、本発明の表示装置において、前記表示部は、マトリックス状に配置された複数のＬＥＤ（発光ダイオード）を備える。
【００２１】
本構成によって、マトリックス状に配置された複数のＬＥＤを備えるので、環境の変化に対する耐久性が高く、文字や図形や静止画などを明瞭に表示できる表示装置を提供することができる。
【００２２】
また、本発明は、表示部と、メモリ部と、制御部と、外部出力部とを備えた表示装置の音源再生方法であって、メモリ部に記憶された表示データの表示キーワードと、音源データの音源キーワードを照合し、表示データと関連ある音源データを制御する音源自動設定工程を含む表示装置の音源再生方法である。
【００２３】
かかる構成によれば本構成によって、表示データの内容を示す表示キーワードと、音源データの内容を示す音源キーワードに基づいて、外部出力される音源データを制御するので、表示データ入力時にその都度関連付け設定を行なわなくても音源データを適切に制御することができる。
【発明の効果】
【００２４】
本発明の表示装置、および音源再生方法によれば、表示データの内容を示す表示キーワードと、音源データの内容を示す音源キーワードを照合することにより、表示する表示データに応じて自動で再生する音源データを選択するため、表示データと音源データの一対一の関連付けや、表示データまたは音源データの追加または削除時の面倒さや設定に時間がかかるといった問題が生じない表示装置の音源自動選択を実現することができる。
【発明を実施するための最良の形態】
【００２５】
以下に、本発明を実施するための最良の形態について、図面を参照しながら説明する。
【００２６】
（実施の形態）
図１は、本発明の実施の形態における表示装置の概略構成を示すブロック図である。図１において、表示装置５０は、表示データを表示する表示部５１と、音源データを出力する外部出力部５２と、音源データ選択部６３を含む表示データのキーワードと音源データのキーワードを照合するキーワード照合部６２と、前記キーワード照合部の照合結果から表示データと音源データを制御する表示音源制御部６１からなる制御部６０と、表示データを記憶する表示データ記憶部７１と表示データの内容を示す表示キーワードを保存する表示キーワード記憶部７２と音源データを記憶する音源データ記憶部７３と音源データの内容を示す音源キーワード記憶部７４からなるメモリ部７０と、表示データと音源データおよびそれぞれのキーワードを入力するデータ入力部７５を有する。
【００２７】
図２は、本発明の実施の形態におけるメモリ部７０の設定例である。図２において、表示データ記憶部には表示させたい画像や図形や文字などを記憶し、表示キーワード記憶部には、前記表示データ記憶部に記憶した表示データの内容を表すキーワードをそれぞれ設定する。
【００２８】
また、音源データ記憶部には、様々なシーンに対応できるよう季節、業種、時間帯など多種類の音源データを記憶し、それぞれの音源データの内容を表すキーワードを音源キーワード記憶部に記憶する。さらに、キーワードの関連付けができない表示データがある場合に、音源が再生しないのを防ぐために、どんな表示データと合わせても違和感のない汎用性の高い音源データも音源データ記憶部に記憶しておく。
【００２９】
図３は、本発明の実施の形態における、表示音源制御方法を示すフローチャートである。表示装置の制御部６０のキーワード照合部６２は、表示キーワード記憶部７２から任意の表示データの表示キーワードを取得する（ステップＳ３１）。次に、音源キーワード記憶部７４から記憶されている全ての音源データの音源キーワードを取得する（ステップＳ３２）。次に、取得した表示キーワードと取得した音源キーワードを照合する（ステップＳ３３）。次いで、キーワード照合結果で関連するキーワードがあったか判定する（ステップＳ３４）。判定した結果がキーワード関連あり（Ｙｅｓ）ならば、その表示データに関連ある音源データ番号を関連付けする（ステップＳ３５）。そして、関連付けの内容を表示音源制御部６１に書き込む（ステップＳ３６）。
【００３０】
一方、ステップＳ３４で判定した結果がキーワード関連なし（Ｎｏ）ならば、その表示データには、汎用性のある音源データを関連付けする（ステップＳ３７）。そして、その関連付けの内容を表示音源制御部６１に書き込む（ステップ３６）。ステップＳ３６で表示音源制御部６１に関連付けを書き込むことで本フローを終了する。
【００３１】
また、表示音源制御部６１は、表示データを表示データ記憶部７１から取得し表示部５１に出力し、該表示データに関連付け設定された音源データを音源データ記憶部７３から取得し外部出力部５２に出力することにより、表示データの表示と音源データの再生を制御する。
【００３２】
本実施の形態の表示装置によれば、表示データの内容を示す表示キーワードと音源データの内容を示す音源キーワードに基づいて、表示データ表示時に再生する音源データを自動で関連付けし制御するので、表示データの変更に応じてその都度関連付けを設定しなくても音源データを適切に制御することができる。
【００３３】
なお、本実施の形態において、キーワード照合結果（ステップＳ３４）が関連なし（Ｎｏ）となった場合、汎用音源データを関連付けしているが、汎用音源データを関連付けさせず外部出力をさせなくても良い。
【００３４】
また、表示データに音源データ再生の有無を判断する情報を付加することで、関連付けされる音源データが音源データ記憶部７３にある場合でも、外部出力を行なわない制御を行なっても良い。
【００３５】
さらに、表示装置として不可欠な表示データの表示時間を制御するタイマー制御部（図示せず）や表示装置の周囲照度を測定する照度センサー（図示せず）および照度センサーの測定値から表示部の輝度を制御する輝度制御部（図示せず）と組み合わせて、夜間は音源出力レベルを制御しても良い。
【００３６】
また、外部出力としてスピーカを図示しているが、表示装置５０以外のスピーカに接続しても良い。
【産業上の利用可能性】
【００３７】
本発明における表示装置の音源再生方法は、手動による表示データと音源データの関連付け設定をなくすことができ、設定者の主観に左右されることなく、容易に表示データに合った音源データを再生することができるので、音源データを出力する表示装置において有用である。
【図面の簡単な説明】
【００３８】
【図１】本発明の実施の形態にかかる表示装置の概略構成を示すブロック図
【図２】本発明の実施の形態にかかるメモリ部の設定例を示す図
【図３】本発明の実施の形態にかかる制御部の音源設定方法を示すフローチャート
【図４】従来の音声付き電光表示器の概略構成を示すブロック図
【符号の説明】
【００３９】
４０  表示装置
４１  表示部
４２  外部出力部
４３  制御部
４４  メモリ部
４５  表示データ記憶部
４６  音源データ記憶部
４７  インデックスファイル記憶部
４８  データ入力部
５０  表示装置
５１  表示部
５２  外部出力部
６０  制御部
６１  表示音源制御部
６２  キーワード照合部
６３  音源データ選択部
７０  メモリ部
７１  表示データ記憶部
７２  表示キーワード記憶部
７３  音源データ記憶部
７４  音源キーワード記憶部
７５  データ入力部
【図１】
2009025356.tif 000003
【図３】
2009025356.tif 000004
【図４】
2009025356.tif 000005
【図２】
2009025356.tif 000006